(57)【特許請求の範囲】
【請求項１】
通信回線に接続され、前記通信回線を介して送信される呼出信号を、予め定めた設定回数だけ検出した場合に自動的に着信し、ファクシミリ通信の送信側である相手先装置から送信されるファクシミリデータを受信する、ファクシミリ装置であって、
前記設定回数を記憶する第一記憶部と、
時間の経過を計測するための計時部と、
前記通信回線を介して送信される、相手先装置に対応した相手先情報と、ファクシミリ送信のための指令信号と、ファクシミリデータと、を受信する通信部と、
前記通信部での相手先情報の受信を制御する第一通信制御部と、
呼出信号が、前記第一記憶部に記憶された前記設定回数だけ検出された場合の自動的な着信と、前記通信部での指令信号及びファクシミリデータの受信と、を制御する第二通信制御部と、
前記通信部で受信された相手先情報と、前記通信部で相手先情報が受信された着信で前記通信回線を介して送信される指令信号のうち、第一種の指令信号の受信状態に対応する着信設定情報と、を関連付けて記憶する第二記憶部と、を備え、
前記第二通信制御部は、前記通信部で相手先情報が受信された場合、受信された相手先情報に一致する特定の相手先情報が前記第二記憶部に記憶され、特定の相手先情報に関連付けられた着信設定情報が受信失敗の場合の情報で、且つ、前記計時部で計測されている計測時間が、特定の相手先情報に関連付けられた着信設定情報に対応する受信失敗のタイミングから、所定時間経過していない場合、前記第一記憶部に記憶された前記設定回数より少ない回数での自動的な着信を制御し、前記通信部での指令信号及びファクシミリデータの受信を制御する、ファクシミリ装置。
【請求項２】
前記ファクシミリ装置は、前記計時部で計測されている計測時間が、前記第二記憶部で、相手先情報に関連付けられた着信設定情報に対応する受信失敗のタイミングから、所定時間経過している場合、着信設定情報を、受信失敗の場合の情報から、受信成功の場合の情報とする記憶制御部を備え、
前記第二通信制御部は、前記通信部で相手先情報が受信された場合、受信された相手先情報に一致する特定の相手先情報に関連付けられた着信設定情報が、前記記憶制御部によって、受信失敗の場合の情報から、受信成功の場合の情報とされているとき、前記第一記憶部に記憶された前記設定回数での自動的な着信を制御し、前記通信部での指令信号及びファクシミリデータの受信を制御する、請求項１に記載のファクシミリ装置。
【請求項３】
第一種の指令信号は、ＤＣＳ信号を含み、
前記第二記憶部は、前記通信部で受信された相手先情報と、前記通信部で相手先情報が受信された着信で前記通信回線を介して送信されるＤＣＳ信号の受信状態に対応する着信設定情報と、を関連付けて記憶する、請求項１又は請求項２に記載のファクシミリ装置。
【請求項４】
第一種の指令信号は、ＣＮＧ信号を含み、
前記第二記憶部は、前記通信部で受信された相手先情報と、前記通信部で相手先情報が受信された着信で前記通信回線を介して送信されるＣＮＧ信号の受信状態に対応する着信設定情報と、を関連付けて記憶する、請求項１又は請求項２に記載のファクシミリ装置。
【請求項５】
第一種の指令信号は、ＣＮＧ信号と、ＤＣＳ信号と、を含み、
前記第二記憶部は、
前記通信部で相手先情報が受信された着信で前記通信回線を介して送信されるＣＮＧ信号の受信に失敗した場合、前記通信部で受信された相手先情報と、前記通信部で相手先情報が受信された着信で前記通信回線を介して送信されるＣＮＧ信号の受信状態に対応する着信設定情報と、を関連付けて記憶し、
前記通信部で相手先情報が受信された着信で前記通信回線を介して送信されるＣＮＧ信号の受信に成功した場合、前記通信部で受信された相手先情報と、前記通信部で相手先情報が受信された着信で前記通信回線を介して送信されるＤＣＳ信号の受信状態に対応する着信設定情報と、を関連付けて記憶する、請求項１又は請求項２に記載のファクシミリ装置。
【請求項６】
前記ファクシミリ装置は、
所定の情報を報知するための報知部と、
所定の情報が前記報知部から報知されるよう制御する報知制御部と、
ユーザによって操作され、前記ファクシミリ装置に所定の指令を入力するための操作部と、
前記第一記憶部に記憶された前記設定回数を更新する更新部と、を備え、
前記第二記憶部には、関連付けられた相手先情報及び着信設定情報が、複数組記憶されており、
前記報知制御部は、前記第二記憶部に、受信失敗の場合の情報に対応する着信設定情報が、基準となる基準数より多く、相手先情報に関連付けて記憶されている場合、前記設定回数の更新に関する情報が、前記報知部から報知されるよう制御し、
前記更新部は、前記報知制御部による前記報知部からの前記設定回数の更新に関する情報の報知に応じ、前記操作部を介して、新たな設定回数が入力された場合、前記第一記憶部に記憶された前記設定回数を、入力された前記新たな設定回数に更新する、請求項１から請求項５の何れか１項に記載のファクシミリ装置。
【発明の詳細な説明】
【技術分野】
【０００１】
本発明は、自動的に着信し、ファクシミリデータを受信するファクシミリ装置に関する。
【背景技術】
【０００２】
従来から、ファクシミリ装置に関する技術が提案されている（例えば、特許文献１参照）。特許文献１には、着信時に予め設定された回数の呼び出しベルが鳴り、その間にハンドセットが上げられなかった場合に、自動的にファクシミリの受信を開始する自動受信モードを有するファクシミリ装置が開示されている。このファクシミリ装置では、着信があった場合に、これが特定サービスに基づくものかどうかが判断され、特定のサービスに基づく着信であると判断された場合に、ファクシミリの自動受信を開始するまでに呼び出しベルが鳴る回数が、設定回数よりも多くなるような処理が行われる。
【先行技術文献】
【特許文献】
【０００３】
【特許文献１】特開平４−２２２６２号公報
【発明の概要】
【発明が解決しようとする課題】
【０００４】
ところで、ファクシミリ通信の送信側である相手先装置（ファクシミリ装置）では、ＣＮＧ信号のような発呼側識別信号を、繰り返して送信し続ける時間に関し、送信タイムアウト時間が設定される。受信側のファクシミリ装置は、通信回線を介して送信される呼出信号を、予め定めた設定回数だけ検出した際、換言すれば、予め定めた設定回数だけ呼出ベルが鳴動した際、自動的に着信するように設定できる機能を有する。設定回数が、大きな値に設定されると、着信のタイミングで、送信側のファクシミリ装置が、送信タイムアウト時間に対応したタイミングとなる。この場合、受信側のファクシミリ装置は、相手先装置からのファクシミリデータを、受信できない。例えば、受信側のファクシミリ装置で、ファクシミリデータの他、音声による電話通信も受信しようとする場合、受信側のファクシミリ装置では、即時の自動的な着信を回避すること等を目的とし、設定回数が大きな値に設定されることがある。音声による電話通信には、ファクシミリ装置に、電話機を接続し、接続された電話機によって、通話し、又は、所謂、留守番電話機能を実行する場合が含まれる。
【０００５】
本発明は、ファクシミリデータの送信を好適に受信することができるファクシミリ装置を提供することを目的とする。
【課題を解決するための手段】
【０００６】
上記従来の課題に鑑みなされた本発明の一側面は、通信回線に接続され、前記通信回線を介して送信される呼出信号を、予め定めた設定回数だけ検出した場合に自動的に着信し、ファクシミリ通信の送信側である相手先装置から送信されるファクシミリデータを受信する、ファクシミリ装置であって、前記設定回数を記憶する第一記憶部と、時間の経過を計測するための計時部と、前記通信回線を介して送信される、相手先装置に対応した相手先情報と、ファクシミリ送信のための指令信号と、ファクシミリデータと、を受信する通信部と、前記通信部での相手先情報の受信を制御する第一通信制御部と、呼出信号が、前記第一記憶部に記憶された前記設定回数だけ検出された場合の自動的な着信と、前記通信部での指令信号及びファクシミリデータの受信と、を制御する第二通信制御部と、前記通信部で受信された相手先情報と、前記通信部で相手先情報が受信された着信で前記通信回線を介して送信される指令信号のうち、第一種の指令信号の受信状態に対応する着信設定情報と、を関連付けて記憶する第二記憶部と、を備え、前記第二通信制御部は、前記通信部で相手先情報が受信された場合、受信された相手先情報に一致する特定の相手先情報が前記第二記憶部に記憶され、特定の相手先情報に関連付けられた着信設定情報が受信失敗の場合の情報で、且つ、前記計時部で計測されている計測時間が、特定の相手先情報に関連付けられた着信設定情報に対応する受信失敗のタイミングから、所定時間経過していない場合、前記第一記憶部に記憶された前記設定回数より少ない回数での自動的な着信を制御し、前記通信部での指令信号及びファクシミリデータの受信を制御する、ファクシミリ装置である。
【０００７】
これによれば、受信に失敗したファクシミリデータを送信した相手先装置が、受信失敗のタイミングから所定時間経過前に、ファクシミリデータを送信する場合、設定回数より少ない回数で着信し、この相手先装置から送信されるファクシミリデータを、受信することができる。相手先装置が、ファクシミリデータの送信に失敗した場合、このファクシミリデータの送信を、一定間隔で、一定回数だけ繰り返すような場合に、特に有効である。設定回数での着信と、設定回数より少ない回数での着信とを好適に実行し、ファクシミリデータを受信することができる。第一種の指令信号の受信状態には、上記の記載から明らかな通り、例えば、第一種の指令信号の受信に失敗した状態（受信失敗）が含まれる。受信失敗には、第一種の指令信号を全く受信できなかった場合が含まれる。この他、第一種の指令信号を予め定めた回数だけ受信しなければならないとされている場合、受信失敗には、第一種の指令信号を予め定めた回数だけ受信できなかった場合も含まれる。
【０００８】
このファクシミリ装置は、次のようにすることもできる。前記ファクシミリ装置は、前記計時部で計測されている計測時間が、前記第二記憶部で、相手先情報に関連付けられた着信設定情報に対応する受信失敗のタイミングから、所定時間経過している場合、着信設定情報を、受信失敗の場合の情報から、受信成功の場合の情報とする記憶制御部を備え、前記第二通信制御部は、前記通信部で相手先情報が受信された場合、受信された相手先情報に一致する特定の相手先情報に関連付けられた着信設定情報が、前記記憶制御部によって、受信失敗の場合の情報から、受信成功の場合の情報とされているとき、前記第一記憶部に記憶された前記設定回数での自動的な着信を制御し、前記通信部での指令信号及びファクシミリデータの受信を制御する、ようにしてもよい。これによれば、受信に失敗したファクシミリデータを送信した相手先装置であっても、受信失敗のタイミングから所定時間経過後に、ファクシミリデータを送信する場合には、設定回数で着信するようにすることができる。特定の相手先情報の相手先装置に関し、設定回数より少ない回数での着信とされた場合であっても、ユーザは、設定回数で着信させるための操作を、ファクシミリ装置に対して行う必要がない。受信成功は、上述したような受信失敗ではない場合である。
【０００９】
また、第一種の指令信号は、ＤＣＳ信号を含み、前記第二記憶部は、前記通信部で受信された相手先情報と、前記通信部で相手先情報が受信された着信で前記通信回線を介して送信されるＤＣＳ信号の受信状態に対応する着信設定情報と、を関連付けて記憶する、ようにしてもよい。これによれば、ＤＣＳ信号の受信状態に従い、設定回数での着信と、設定回数より少ない回数での着信とを、それぞれ、実行することができる。
【００１０】
また、第一種の指令信号は、ＣＮＧ信号を含み、前記第二記憶部は、前記通信部で受信された相手先情報と、前記通信部で相手先情報が受信された着信で前記通信回線を介して送信されるＣＮＧ信号の受信状態に対応する着信設定情報と、を関連付けて記憶する、ようにしてもよい。これによれば、ＣＮＧ信号の受信状態に従い、設定回数での着信と、設定回数より少ない回数での着信とを、それぞれ、実行することができる。
【００１１】
また、第一種の指令信号は、ＣＮＧ信号と、ＤＣＳ信号と、を含み、前記第二記憶部は、前記通信部で相手先情報が受信された着信で前記通信回線を介して送信されるＣＮＧ信号の受信に失敗した場合、前記通信部で受信された相手先情報と、前記通信部で相手先情報が受信された着信で前記通信回線を介して送信されるＣＮＧ信号の受信状態に対応する着信設定情報と、を関連付けて記憶し、前記通信部で相手先情報が受信された着信で前記通信回線を介して送信されるＣＮＧ信号の受信に成功した場合、前記通信部で受信された相手先情報と、前記通信部で相手先情報が受信された着信で前記通信回線を介して送信されるＤＣＳ信号の受信状態に対応する着信設定情報と、を関連付けて記憶する、ようにしてもよい。これによれば、ＣＮＧ信号及びＤＣＳ信号の受信状態に従い、設定回数での着信と、設定回数より少ない回数での着信とを、それぞれ、実行することができる。ＣＮＧ信号の受信に失敗した場合において、ＣＮＧ信号の受信状態に対応する着信設定情報は、受信失敗の場合の情報である。
【００１２】
上記における、ＤＣＳ信号、及び、ＣＮＧ信号については、ＩＴＵ−Ｔ  Ｔ．３０の伝送手順や網制御に関するファクシミリ通信の動作手順にて規定されている。
【００１３】
また、前記ファクシミリ装置は、所定の情報を報知するための報知部と、所定の情報が前記報知部から報知されるよう制御する報知制御部と、ユーザによって操作され、前記ファクシミリ装置に所定の指令を入力するための操作部と、前記第一記憶部に記憶された前記設定回数を更新する更新部と、を備え、前記第二記憶部には、関連付けられた相手先情報及び着信設定情報が、複数組記憶されており、前記報知制御部は、前記第二記憶部に、受信失敗の場合の情報に対応する着信設定情報が、基準となる基準数より多く、相手先情報に関連付けて記憶されている場合、前記設定回数の更新に関する情報が、前記報知部から報知されるよう制御し、前記更新部は、前記報知制御部による前記報知部からの前記設定回数の更新に関する情報の報知に応じ、前記操作部を介して、新たな設定回数が入力された場合、前記第一記憶部に記憶された前記設定回数を、入力された前記新たな設定回数に更新する、ようにしてもよい。これによれば、相手先装置に関わらず、ファクシミリデータの受信に失敗することが多い場合、設定回数を更新することができる。設定回数の更新によって、受信失敗を低減させることが可能となる。
【発明の効果】
【００１４】
本発明によれば、ファクシミリデータの送信を好適に受信することができるファクシミリ装置を得ることができる。
【図面の簡単な説明】
【００１５】
【図１】通信回線としての公衆電話回線網に接続されたファクシミリ装置の概略構成の一例を示すブロック図である。
【図２】着信管理テーブルの一例を示す図である。
【図３】設定回数による自動的な着信を説明するシーケンス図である。
【図４】メイン処理のフローチャートである。
【図５】受信処理のフローチャート（その１）である。
【図６】受信処理のフローチャート（その２）である。
【図７】呼出回数入力画面の一例を示す図である。
【発明を実施するための形態】
【００１６】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。また、他の構成を含むようにしてもよい。
【００１７】
＜ファクシミリ装置＞
ファクシミリ装置（以下、「ＦＡＸ装置」という）１０について、図１を参照して説明する。ＦＡＸ装置１０は、ファクシミリ通信（以下、「ＦＡＸ通信」という）を行うための通信回線に接続される。通信回線としては、公衆電話交換回線網（ＰＳＴＮ（Public Switched Telephone Networks）。以下、「ＰＳＴＮ」という）９０が例示される。この他、高速通信が可能な次世代ネットワーク（ＮＧＮ（Next Generation Network））も実用化されている。本実施形態では、通信回線として、ＰＳＴＮ９０を例に説明する。ＦＡＸ装置１０は、ＰＳＴＮ９０に接続されＦＡＸ装置（以下、「相手先装置」という）５０との間で、ＦＡＸ通信を行う。例えば、相手先装置５０から送信されるファクシミリデータ（以下、「ＦＡＸデータ」という）を受信し、受信したＦＡＸデータに対応した画像を、記録紙に印刷する。
【００１８】
ＦＡＸ装置１０は、ＦＡＸデータの受信に際し、相手先装置５０に対応する相手先情報を受信し、相手先装置５０からの着呼を自動的に着信することができる。相手先情報としては、相手先装置５０の発信者番号（ＦＡＸ番号）が例示される。本実施形態では、相手先情報として、発信者番号を例に説明する。着信を、自動的な着信とする場合、ユーザは、ＦＡＸ装置１０に対して、予め自動的な着信のための設定を行う。具体的に、ユーザは、ＰＳＴＮ９０に接続された交換機８０から送信される呼出信号の検出回数を、設定する。ＦＡＸ装置１０では、設定された回数（以下、「設定回数」という）だけ、呼出信号が検出された場合、ＰＳＴＮ９０への回線閉結が行われる。ＦＡＸ装置１０では、呼出信号に対応し、設定回数分、呼出音が鳴動する。この呼出信号は、ＯＮ（ハイレベル）の期間が１秒、ＯＦＦ（ローレベル）の期間が２秒で、ＯＮの期間に交換機８０から送信される信号の周波数が１６Ｈｚの信号である。この呼出信号は、ＣＩ信号と称される。以下では、この呼出信号を、「ＣＩ信号」という。ＣＩ信号は、後述する発信者番号のための呼出信号とは異なる。発信者番号のための呼出信号は、ＯＮ及びＯＦＦの期間が、共に、０．５秒で、ＯＮの期間（６回）に交換機８０から送信される信号の周波数が１６Ｈｚの信号である。
【００１９】
ＦＡＸ装置１０は、図１に示すように、ＣＰＵ１２と、プログラムＲＯＭ１４と、ＲＡＭ１６と、フラッシュＲＯＭ１８と、読取部２０と、印刷部２２と、表示部２４と、操作部２６と、計時部２８と、通信部３０とを備える。これら各部１２〜３０は、バスライン３２に接続されている。相手先装置５０は、従来のＦＡＸ装置であってもよいが、ＦＡＸ装置１０と同一の装置であってもよい。
【００２０】
ＣＰＵ１２は、演算処理を実行する。プログラムＲＯＭ１４は、例えば、後述するような各種の処理のためのコンピュータプログラムを記憶する。ＲＡＭ１６は、ＣＰＵ１２が各種のコンピュータプログラムを実行する際に利用される記憶領域となる。ＲＡＭ１６には、後述する処理で利用される情報（データ）のための領域が確保され、情報（データ）が記憶（管理）される。ＣＰＵ１２は、例えば、プログラムＲＯＭ１４に記憶された各種のコンピュータプログラムを実行する等して、ＦＡＸ装置１０を制御する。これによって、ＦＡＸ装置１０では、各種の処理が実行され、各種の機能が実現される。フラッシュＲＯＭ１８は、各種のデータを記憶することができる。例えば、フラッシュＲＯＭ１８には、自動的な着信のための設定回数と、着信管理テーブルとが記憶される。
【００２１】
着信管理テーブルは、図２に示すように、発信者番号と、着信設定情報と、解除タイマとを関連付けて記憶したテーブルである。発信者番号には、後述するようにして受信された相手先装置５０の発信者番号が記憶される。発信者番号が非通知であった場合、発信者番号は、「非通知」とされる。着信設定情報は、発信者番号が受信された着信において受信された、ＣＮＧ信号又はＤＣＳ信号の受信状態に対応する。ＣＮＧ信号は、ファクシミリ送信（以下、「ＦＡＸ送信」という）であることを通知するための指令信号（発呼側識別信号）である。ＤＣＳ信号は、相手先装置５０が、今回のＦＡＸ送信に用いる符号化方式等の機能を通知するための指令信号（デジタル命令信号）である。着信設定情報は、ＣＮＧ信号及びＤＣＳ信号を、受信できた場合（受信成功の場合）、ＯＦＦとされる。着信設定情報は、ＣＮＧ信号が受信できない場合（受信失敗の場合）、又は、ＣＮＧ信号が受信できた場合において、ＤＣＳ信号が受信できない場合、ＯＮとされる。ＦＡＸ装置１０では、自動的に着信した後、予め定められた回数（以下、「ＣＮＧ受信回数」という）だけＣＮＧ信号が受信された場合、ＣＥＤ信号及びＤＩＳ信号が、相手先装置５０に送信される。ＣＥＤ信号の送信は、省略してもよい。従って、予め定められた回数、ＣＮＧ信号が受信された場合、ＣＮＧ信号が受信できたとされる。詳細は後述するが、ＦＡＸ装置１０では、受信失敗の場合、設定回数より少ない回数で、自動的に着信するように制御される。解除タイマは、このような制御を解除し、設定回数による自動的な着信とするタイミングを設定するものである。具体的に、解除タイマには、設定回数による自動的な着信に移行するタイミングとしての解除時刻が記憶される。解除タイマが設定されない場合、解除タイマは、「なし」（未登録）とされる。
【００２２】
読取部２０は、ＦＡＸ装置１０にセットされた原稿を読み取る。印刷部２２は、ＦＡＸデータが受信された場合、受信されたＦＡＸデータに対応する画像を、記録用紙に印刷する。表示部２４は、諸情報を表示するためのディスプレイである。操作部２６は、複数のキーによって構成される。ユーザは、操作部２６を操作することによって、各種の指令をＦＡＸ装置１０に入力することができる。計時部２８は、時計機能を有し、時間の経過を計測する。
【００２３】
通信部３０は、ＰＳＴＮ９０に接続され、各種の情報、指令信号及びＦＡＸデータの送受信を行う。通信部３０は、具体的には、ＮＣＵ（Network Control Unit）又は半導体化ＤＡＡと、モデムとを含む。通信部３０は、ＰＳＴＮ９０との回線閉結及び回線開放を切り替える機能を有する。通信部３０は、ＦＡＸ装置１０に送信されたＦＡＸデータを、アナログからデジタルに復調して受信し、ＦＡＸデータを送信する場合、送信対象のＦＡＸデータを、デジタルからアナログに変調して送信する。通信回線として次世代ネットワークが利用される場合、ＦＡＸ装置１０は、次世代ネットワークに接続されるネットワークインターフェースを備える。
【００２４】
＜設定回数による自動的な着信の概要＞
設定回数による自動的な着信の概要について、図３を参照して説明する。詳細は後述するが、ＦＡＸ装置１０では、図３に示すＣＩ信号の検出に先立ち、相手先装置５０の発信者番号の受信動作が行われる。ただし、図３では、これに関する図示は省略されている。
【００２５】
相手先装置５０では、セットされた原稿が読み取られ、読み取られた原稿に対応する画像データを符号化したＦＡＸデータが、生成され、ＦＡＸ装置１０を宛先とした発呼が行われる。これに伴い、図３に示すように、相手先装置５０から交換機８０に、ＣＮＧ信号が、送信され、交換機８０からＦＡＸ装置１０に、ＣＩ信号が送信される。ＦＡＸ装置１０では、交換機８０から送信されるＣＩ信号が、設定回数のＮ回検出された場合、自動的に回線閉結が行われる。ＦＡＸ装置１０は、前述した通り、ＣＮＧ受信回数だけ、図３に基づけば、ＣＮＧ信号が２回（図３の「ＣＮＧ １」及び「ＣＮＧ ２」参照）受信された場合、相手先装置５０に、ＣＥＤ信号及びＤＩＳ信号、又は、ＤＩＳ信号を送信する。ＣＮＧ受信回数は、例えば、２周期未満の回数であってもよい。ＣＮＧ信号は、ＯＮの期間が０．５秒、ＯＦＦの期間が３秒の指令信号である。従って、ＣＮＧ受信回数が、２周期未満の回数であるとは、例えば、ＯＮの期間が０．５秒、ＯＦＦの期間が３秒（１周期分）のＣＮＧ信号が１回検出された後、再度、ＯＮの期間が検出されたような場合である。換言すれば、ＣＮＧ信号のＯＮの期間が２回検出された場合である。ＯＮ及びＯＦＦの１周期を１回とすれば、２周期目はＯＮのみであるから、このような回数は、１．５回ということもできる。
【００２６】
ＦＡＸ装置１０から送信された、ＣＥＤ信号及びＤＩＳ信号、又は、ＤＩＳ信号は、相手先装置５０によって受信される。相手先装置５０は、ＤＩＳ信号の受信に応じ、ＤＣＳ信号を、ＦＡＸ装置１０に送信し、ＦＡＸ装置１０は、これを受信する。図３では図示されていないが、これ以降、ＦＡＸデータの送受信が、相手先装置５０とＦＡＸ装置１０との間でなされる。
【００２７】
＜メイン処理＞
ＦＡＸ装置１０で実行されるメイン処理について、図４等を参照して説明する。メイン処理は、ＦＡＸ装置１０の電源がＯＮされた場合、開始される。メイン処理を開始したＣＰＵ１２は、着呼があったかを判断する（Ｓ１００）。ＣＰＵ１２は、ＰＳＴＮ９０を介して、交換機８０から送信されるＣＩ信号を検出した場合、着呼があったと判断する。
【００２８】
ところで、相手先装置５０が、自身の発信者番号を非通知設定とせずに、発呼した場合、ＣＩ信号の検出に先立ち、ＦＡＸ装置１０では、相手先装置５０の発信者番号が受信される。発信者番号の受信は、従来と同様の手法にて行われるものであるが、その概略を簡単に説明する。発信者番号は、交換機８０から送信される発信者番号のための呼出信号が、６回送信された後に、同じく、交換機８０から送信される。ＣＰＵ１２は、発信者番号のための呼出信号が、６回検出された後、所定の期間内のタイミングで、通信部３０を制御する。通信部３０では、ＰＳＴＮ９０を介して送信される発信者番号が受信される。ＣＰＵ１２は、通信部３０で受信された発信者番号を取得する。日本国内では、発信者番号のための呼出信号が、６回送信された後、通信部３０によって、ＰＳＴＮ９０への回線閉結が行われ、発信者番号が受信された後、回線開放が行われる。ＣＩ信号は、発信者番号が受信された後に検出される。相手先装置５０が非通知設定としていた場合、発信者番号は送信されず、通信部３０では、発信者番号は受信されない。従って、ＣＰＵ１２も、発信者番号を取得できない。
【００２９】
着呼があった場合（Ｓ１００：Ｙｅｓ）、ＣＰＵ１２は、受信処理を実行する（Ｓ１０２）。受信処理については、後述する。受信処理を実行した後、ＣＰＵ１２は、処理をＳ１００に戻し、これを実行する。着呼がない場合（Ｓ１００：Ｎｏ）、ＣＰＵ１２は、着信管理テーブルに記憶されている何れかの発信者番号に関連付けられた解除タイマが、タイムアップしているかを判断する（Ｓ１０４）。Ｓ１０４で、ＣＰＵ１２は、着信管理テーブルにアクセスし、着信管理テーブルに記憶された１つのレコードを、Ｓ１０４の対象レコードとする。例えば、ＣＰＵ１２は、着信管理テーブルに記憶されたレコードを、上から順に対象レコードとする。ＣＰＵ１２は、計時部２８で計測されている現在時刻と、対象レコードにおいて、発信者番号に関連付けられた解除タイマの時刻とを比較する。現在時刻が、解除タイマの時刻を経過していない場合、ＣＰＵ１２は、対象レコードの解除タイマは、タイムアップしていないと判断する（Ｓ１０４：Ｎｏ）。この場合、ＣＰＵ１２は、処理をＳ１１０に移行する。
【００３０】
現在時刻が、解除タイマの時刻を経過している場合、ＣＰＵ１２は、対象レコードの解除タイマは、タイムアップしていると判断し（Ｓ１０４：Ｙｅｓ）、対象レコードの着信設定情報に「ＯＦＦ」をセットする（Ｓ１０６）。続けて、ＣＰＵ１２は、対象レコードの解除タイマに「なし」をセットする（Ｓ１０８）。Ｓ１０８を実行した後、着信管理テーブルに記憶された全レコードを対象として、Ｓ１０４〜Ｓ１０８の処理が終了したかを判断する（Ｓ１１０）。未処理のレコードが存在し、全レコードに対して処理が終了していない場合（Ｓ１１０：Ｎｏ）、ＣＰＵ１２は、処理をＳ１０４に戻す。その後、ＣＰＵ１２は、未処理のレコードの１つを対象レコードとして、上述したＳ１０４〜Ｓ１０８の処理を、実行する。未処理のレコードがなく、全レコードに対して処理が終了した場合（Ｓ１１０：Ｙｅｓ）、ＣＰＵ１２は、処理をＳ１００に戻す。ＣＰＵ１２は、メイン処理を、ＦＡＸ装置１０の電源がＯＦＦされるまで、繰り返して実行する。
【００３１】
Ｓ１０４〜Ｓ１１０を、図２に基づき、具体的に説明する。この説明において、計時部２８で計測されている現在時刻は、１２時１５分であるとする。Ｓ１０４が、Ｓ１００の判断が否定（Ｓ１００：Ｎｏ）された後、最初に実行される場合、ＣＰＵ１２は、図２に示す着信管理テーブルの最上位に記憶されたレコード（発信者番号「１２３−４５６−７８９０」）を、対象レコードとし、このレコードに含まれる解除タイマ「１２時１０分」を、現在時刻「１２時１５分」と比較する。この場合、現在時刻「１２時１５分」は、既に、解除タイマ「１２時１０分」を経過した時刻であるため、ＣＰＵ１２は、Ｓ１０４を肯定する（Ｓ１０４：Ｙｅｓ）。続けて、ＣＰＵ１２は、対象レコードにおいて、発信者番号「１２３−４５６−７８９０」に関連付けられた、着信設定情報「ＯＮ」を「ＯＦＦ」にセットし（Ｓ１０６）、解除タイマ「１２時１０分」を「なし」にセットする（Ｓ１０８）。これによって、着信管理テーブルの対象レコードでは、発信者番号「１２３−４５６−７８９０」に関連付けられた着信設定情報及び解除タイマが、それぞれ、「ＯＦＦ」及び「なし」となる。
【００３２】
次に、ＣＰＵ１２は、Ｓ１１０を実行するが、現在の対象レコードが、発信者番号「１２３−４５６−７８９０」のレコードである場合、未処理のレコードは、３つある（図２参照）。そのため、ＣＰＵ１２は、Ｓ１１０を否定し（Ｓ１１０：Ｎｏ）、発信者番号「２３４−５６７−８９０１」のレコードを、対象レコードとし、このレコードに含まれる解除タイマ「１２時２０分」を、現在時刻「１２時１５分」と比較する。この場合、現在時刻「１２時１５分」は、解除タイマ「１２時１０分」を経過する前の時刻であるため、ＣＰＵ１２は、Ｓ１０４を否定し（Ｓ１０４：Ｎｏ）、処理をＳ１１０に移行する。ＣＰＵ１２は、残りの２つのレコードそれぞれについても、Ｓ１０４〜Ｓ１１０の処理を実行する。発信者番号「非通知」のレコードを対象レコードとし、これに対して、Ｓ１０４の判断が否定（Ｓ１０４：Ｎｏ）され、処理がＳ１１０に移行した場合、ＣＰＵ１２は、着信管理テーブルに記憶された全レコードに対する処理が終了したとして、Ｓ１１０を肯定（Ｓ１１０：Ｙｅｓ）し、処理をＳ１００に戻す。
【００３３】
＜受信処理＞
図４のメイン処理のＳ１０２で実行される受信処理について、図５及び図６等を参照して説明する。受信処理を開始したＣＰＵ１２は、通信部３０で発信者番号が受信されているかを判断する（Ｓ２００）。発信者番号は、上述した通り、ＣＩ信号の検出前に、通信部３０で受信される。発信者番号が受信されている場合（Ｓ２００：Ｙｅｓ）、ＣＰＵ１２は、今回の発信者番号として、取得済みの発信者番号を設定する（Ｓ２０２）。発信者番号が受信されていない場合（Ｓ２００：Ｎｏ）、ＣＰＵ１２は、今回の発信者番号として、非通知を設定する（Ｓ２０４）。
【００３４】
Ｓ２０２又はＳ２０４を実行した後、ＣＰＵ１２は、着信管理テーブルにアクセスし、今回の発信者番号として設定された発信者番号に関連付けられた着信設定情報が、「ＯＮ」であるかを判断する（Ｓ２０６）。例えば、今回の発信者番号として設定された発信者番号が、「非通知」であったとする。図２に示す着信管理テーブルで、発信者番号「非通知」に関連付けられた着信設定情報は、「ＯＦＦ」である。このような場合、ＣＰＵ１２は、Ｓ２０６を否定し（Ｓ２０６：Ｎｏ）、処理をＳ２０８に移行する。今回の発信者番号が、着信管理テーブルに記憶されていない場合、着信設定情報は「ＯＦＦ」として取り扱われる。そのため、ＣＰＵ１２は、処理をＳ２０８に移行する。今回の発信者番号として設定された発信者番号が、「１２３−４５６−７８９０」であったとする。図２に示す着信管理テーブルで、発信者番号「１２３−４５６−７８９０」に関連付けられた着信設定情報は、「ＯＮ」である。このような場合、ＣＰＵ１２は、Ｓ２０６を肯定し（Ｓ２０６：Ｙｅｓ）、処理をＳ２１０に移行する。なお、詳細は後述するが、ＣＰＵ１２は、着信設定情報に「ＯＮ」をセットする場合、併せて、解除タイマに解除時刻をセットする（図６のＳ３１２，Ｓ３１４参照）。その上で、着呼がない場合（図４のＳ１００：Ｎｏ参照）、ＣＰＵ１２は、解除タイマがタイムアップしたレコードについては、着信設定情報に「ＯＦＦ」をセットすると共に、解除タイマを「なし」にセットする（図４のＳ１０６，Ｓ１０８参照）。従って、着信設定情報が「ＯＮ」であって（Ｓ２０６：Ｙｅｓ）、処理がＳ２１０に移行する場合、解除タイマは、タイムアップしていないこととなる。
【００３５】
Ｓ２０８で、ＣＰＵ１２は、フラッシュＲＯＭ１８に記憶された設定回数による自動的な着信を制御する。即ち、ＣＰＵ１２は、設定回数分、ＣＩ信号が検出された場合、通信部３０に回線閉結のための指令を出力し、通信部３０を制御する。これによって、通信部３０では、ＰＳＴＮ９０への回線閉結が行われる。Ｓ２１０で、ＣＰＵ１２は、フラッシュＲＯＭ１８に記憶された設定回数より少ない回数（以下、「例外着信回数」という）による自動的な着信を制御する。即ち、ＣＰＵ１２は、例外着信回数だけ、ＣＩ信号が検出された場合、通信部３０に回線閉結のための指令を出力し、通信部３０を制御する。例外着信回数は、例えば、１回とされる。これによって、通信部３０では、ＰＳＴＮ９０への回線閉結が行われる。
【００３６】
Ｓ２０８又はＳ２１０を実行した後、ＣＰＵ１２は、通信部３０でＣＮＧ信号が受信されているかを判断する（Ｓ２１２）。ＣＮＧ信号が受信されていない場合（Ｓ２１２：Ｎｏ）、ＣＰＵ１２は、通常の通信処理を制御する（Ｓ２１４）。通常の通信処理とは、例えば、所謂、在宅モードによる処理である。具体的に、ＣＰＵ１２は、「ＦＡＸ送信を行う場合は、相手先装置５０のスタートボタンを押下し、電話である場合は、そのまま待機する」旨を内容とするメッセージを出力する。このメッセージを聞いた相手先装置５０のユーザは、メッセージに従った行為を行う。ユーザが、ＦＡＸ送信を開始するため、スタートキーを押下した場合、ＦＡＸ装置１０では、このタイミングで、ＣＮＧ信号が受信され、その後、ＦＡＸデータが受信される。ＣＰＵ１２は、ＦＡＸデータが受信された場合、印刷部２２を制御する。印刷部２２では、受信されたＦＡＸデータに対応した画像が、記録用紙に印刷される。相手先装置５０のユーザが、スタートキーを押下しない場合、ＣＰＵ１２は、呼出音を鳴動させる等の処理を実行する。ＦＡＸ装置１０のユーザが応答した場合、通信部３０を制御する等して、音声による電話通信の処理を実行する。ＦＡＸ装置１０が、留守番電話機能を有し、留守番電話モードに設定されている場合、ＣＰＵ１２は、通常の通信処理として、留守番電話機能のための処理を実行する。在宅モード及び留守番電話モードは、従来のＦＡＸ装置においても実現されている。そのため、これに関するこの他の説明は、省略する。Ｓ２１４を実行した後、ＣＰＵ１２は、処理を図６のＳ３０４に移行する。
【００３７】
ＣＮＧ信号が受信されている場合（Ｓ２１２：Ｙｅｓ）、ＣＰＵ１２は、受信されたＣＮＧ信号の受信回数を判断する（Ｓ２１６）。受信回数がＣＮＧ受信回数未満である場合（Ｓ２１６：ＣＮＧ受信回数未満）、ＣＰＵ１２は、処理を図６のＳ３１０に移行する。受信回数がＣＮＧ受信回数である場合（Ｓ２１４：ＣＮＧ受信回数／図３の「ＣＮＧ  １」及び「ＣＮＧ信号  ２」参照）、ＣＰＵ１２は、通信部３０を制御し、ＣＥＤ信号とＤＩＳ信号とを、順次、送信する（Ｓ２１８／図３の「ＣＥＤ」及び「ＤＩＳ」参照）。ＣＥＤ信号及びＤＩＳ信号は、それぞれ、相手先装置５０で受信される。Ｓ２１８を実行した後、ＣＰＵ１２は、処理を図６のＳ３００に移行する。上述した通り、Ｓ２１８で、ＣＥＤ信号の送信は、省略してもよい。ＤＩＳ信号は、画像データの符号化方式に対応する復号化能力に関する受信機能力情報を含む指令信号である。
【００３８】
図６のＳ３００で、ＣＰＵ１２は、通信部３０でＤＣＳ信号が受信されているかを判断する。ＤＣＳ信号が受信されていない場合（Ｓ３００：Ｎｏ）、ＣＰＵ１２は、処理をＳ３１０に移行する。ＤＣＳ信号が受信されている場合（Ｓ３００：Ｙｅｓ／図３の「ＤＣＳ」参照）、ＣＰＵ１２は、通信部３０を制御し、ＦＡＸデータを受信する（Ｓ３０２）。ＣＰＵ１２は、印刷部２２を制御する。印刷部２２では、受信されたＦＡＸデータに対応した画像が、記録用紙に印刷される。ＣＰＵ１２は、着信管理テーブルにアクセスし、今回の発信者番号として設定された発信者番号に関連付けられた着信設定情報に、「ＯＦＦ」をセットする（Ｓ３０４）。続けて、ＣＰＵ１２は、今回の発信者番号として設定された発信者番号に関連付けられた解除タイマに、「なし」をセットする（Ｓ３０６）。ここで、今回の発信者番号として設定された発信者番号が、着信管理テーブルに記憶されていない場合、ＣＰＵ１２は、新たなレコードを追加し、追加したレコードにおいて、今回の発信者番号として設定された発信者番号と、着信設定情報「ＯＦＦ」と、解除タイマ「なし」とを関連付けて追加記憶するようにしてもよい。その後、ＣＰＵ１２は、通信部３０を制御し、ＦＡＸ通信の規格に従い所定の手順を実行し、今回の着信を終了する（Ｓ３０８）。着信終了に際し、通信部３０では、ＰＳＴＮ９０からの回線開放が行われる。
【００３９】
Ｓ３１０で、ＣＰＵ１２は、ＣＮＧ信号をＣＮＧ受信回数だけ受信できず（図５のＳ２１６：ＣＮＧ受信回数未満参照）、又は、ＤＣＳ信号を受信できなかったとして、今回のＦＡＸ通信によるＦＡＸデータの受信は失敗したと、判断する。ＣＰＵ１２は、着信管理テーブルにアクセスし、今回の発信者番号として設定された発信者番号に関連付けられた着信設定情報に、「ＯＮ」をセットする（Ｓ３１２）。続けて、ＣＰＵ１２は、今回の発信者番号として設定された発信者番号に関連付けられた解除タイマに、解除時刻をセットする（Ｓ３１４）。セットされる解除時刻は、計時部２８で計測されている現在時刻から、一定時間経過の後の時刻とされる。例えば、ＦＡＸ送信に失敗した相手先装置５０では、所定の間隔で、失敗したＦＡＸ送信が、繰り返して実行される。解除時刻のための一定時間は、再送信が繰り返される間隔を考慮し、予め定められる。例えば、一定時間は１０分とされ、解除時刻は、現在時刻から１０分後の時刻とされる。ここで、今回の発信者番号として設定された発信者番号が、着信管理テーブルに記憶されていない場合、ＣＰＵ１２は、新たなレコードを追加し、追加したレコードにおいて、今回の発信者番号として設定された発信者番号と、着信設定情報「ＯＮ」と、解除タイマとしての解除時刻とを関連付けて追加記憶する。
【００４０】
Ｓ３１４を実行した後、ＣＰＵ１２は、着信管理テーブルにアクセスし、着信管理テーブルに記憶されている着信設定情報「ＯＮ」の数が、基準数以上であるかを判断する（Ｓ３１６）。基準数は、予め定められ、例えば、フラッシュＲＯＭ１８に記憶されている。基準数は、ユーザが操作部２６を操作し、変更できるようにしてもよい。Ｓ３１６の判断条件は、着信設定情報「ＯＮ」の数が、基準数より多いか、としてもよい。着信管理テーブルに記憶されている着信設定情報「ＯＮ」の数の特定に際し、ＣＰＵ１２は、着信管理テーブルに記憶された各レコードを、順次、対象として、着信設定情報「ＯＮ」の数をカウントする。このとき、ＲＡＭ１６上には、カウントのためのカウンタ領域が確保される。例えば、図２に示す着信管理テーブルを例とすれば、着信設定情報「ＯＮ」の数は、「２」であるため（上位２段の各レコード参照）、ＲＡＭ１６上のカウンタ領域で管理される値は「２」となる。ＲＡＭ１６上のカウンタ領域で管理される着信設定情報「ＯＮ」の数が、基準数未満であって、基準数以上ではない場合（Ｓ３１６：Ｎｏ）、ＣＰＵ１２は、処理をＳ３０８に移行し、上記同様にして、今回の着信を終了する。基準数以上である場合（Ｓ３１６：Ｙｅｓ）、ＣＰＵ１２は、表示部２４に、例えば図７に示すような、呼出回数入力画面を表示する（Ｓ３１８）。呼出回数入力画面は、設定回数の更新に関する情報として、図７に示すように、受信失敗及び呼出回数の更新に関するメッセージと、現在の呼出回数と共に、入力ボックス２４１を含む。呼出回数入力画面における呼出回数について、ＦＡＸ装置１０では、上述した通り、呼出信号に対応し、設定回数分、呼出音が鳴動するから、呼出回数は、設定回数に対応する。呼出回数入力画面は、ＦＡＸ装置１０を基準とすれば、設定回数入力画面ということもできる。しかし、この呼出回数入力画面への入力に従った更新によって、ユーザが認識する内容は、呼出音が鳴動する回数（呼出回数）の変化である。従って、呼出回数入力画面では、設定回数を呼出回数と表記することとしている。呼出回数入力画面の表示に応じ、呼出回数を更新する場合、ユーザは、例えば、操作部２６に含まれるテンキーを操作し、新たな呼出回数を入力する。入力された新たな呼出回数は、入力ボックス２４１に表示される。入力された呼出回数を確定する場合、ユーザは、例えば、操作部２６に含まれる確定ボタンを押下し、呼出回数を更新しない場合、ユーザは、操作部２６に含まれるキャンセルボタンを押下する。
【００４１】
続けて、ＣＰＵ１２は、呼出回数入力画面の表示に応じ、新たな呼出回数が入力されたかを判断する（Ｓ３２０）。上述したように、新たな呼出回数が入力され、操作部２６のＯＫボタンが押下された場合、Ｓ３２０は肯定される（Ｓ３２０：Ｙｅｓ）。この場合、ＣＰＵ１２は、入力された新たな呼出回数を、新たな設定回数として取得し、フラッシュＲＯＭ１８に記憶された設定回数を、新たな設定回数に更新する（Ｓ３２２）。操作部２６のキャンセルボタンが押下された場合、又は、何も入力されず、所定期間が経過した場合、Ｓ３２０は否定される（Ｓ３２０：Ｎｏ）。Ｓ３２０が否定された場合（Ｓ３２０：Ｎｏ）、又は、Ｓ３２２を実行した後、ＣＰＵ１２は、処理をＳ３０８に移行し、上記同様にして、今回の着信を終了する。
【００４２】
＜本実施形態による効果＞
本実施形態によれば、次のような効果を得ることができる。
【００４３】
（１）上記では、設定回数による着信で、ＦＡＸデータの受信に失敗した場合（図６のＳ３１０参照）、今回の発信者番号として設定された発信者番号に関連付けられた着信設定情報に「ＯＮ」をセットすることとした（図６のＳ３１２参照）。従って、失敗した後、失敗に係る相手先装置５０で繰り返されるＦＡＸ送信において、設定回数より少ない回数とされた例外着信回数による自動的な着信が実行され、ＦＡＸデータを受信することができる（図６のＳ３０２参照）。ＦＡＸ装置１０では、同一の相手先装置５０から送信されるＦＡＸデータの受信失敗が繰り返され、ＦＡＸデータを受信できないといった事態の発生を防止することができる。例外着信回数での着信は、着信設定情報が「ＯＮ」である発信者番号に対して実行される（図５のＳ２０６：Ｙｅｓ参照）。そのため、着信設定情報が「ＯＦＦ」である発信者番号の相手先装置５０からの着呼については、設定回数での着信とすることができる。
【００４４】
具体的な例示に基づき、この点を説明する。相手先装置５０は、ＣＮＧ信号を、繰り返して送信し続ける時間に関し、例えば６０秒までの範囲で、送信タイムアウト時間が設定される。相手先装置５０では、送信タイムアウト時間が、５０秒とされているとする。相手先装置５０は、ＦＡＸデータの送信に失敗した場合、失敗した送信の発信者番号に対し、５分後に、送信に失敗したＦＡＸデータを、再送信することとする。ＦＡＸ装置１０では、フラッシュＲＯＭ１８に設定回数が１５回と記憶され、解除タイマのための一定時間は１０分とされ、例外着信回数は１回とされているとする。ＦＡＸ装置１０は、着信後、ＣＮＧ信号が２回検出された場合、ＣＥＤ信号及びＤＩＳ信号を、相手先装置５０に送信することとする。
【００４５】
ＣＩ信号は、上述した通り、ＯＮの期間が１秒で、ＯＦＦの期間が２秒の信号であるから、ＣＩ信号を１５回検出するのには、４５秒（３秒×１５回）必要である。ＣＮＧ信号は、上述した通り、ＯＮの期間が０．５秒で、ＯＦＦの期間が３秒の信号であるから、２回のＣＮＧ信号を受信するのには、７秒（３．５秒×２回）必要である。従って、ＦＡＸ装置１０で、２回目のＣＮＧ信号の受信を完了するのには、着呼のタイミング（図４のＳ１００：Ｙｅｓ参照）から、合計５２秒程度必要である。このような場合、ＦＡＸ装置１０では、送信タイムアウト時間内に、２回のＣＮＧ信号（図３の「ＣＮＧ  １」及び「ＣＮＧ  ２」参照）を受信することができない（図５のＳ２１２：Ｎｏ、又は、Ｓ２１６：ＣＮＧ受信回数未満参照）。その結果、ＦＡＸ装置１０では、ＣＥＤ信号及びＤＩＳ信号が送信（図６のＳ２１８参照）されず、相手先装置５０では、送信タイムアウト時間（５０秒）が経過する前に、これらの信号を受信することができない。そのため、相手先装置５０は、ＤＣＳ信号を送信するという次の手順（図３の「ＤＣＳ」参照）に移行することができず、ＦＡＸ装置１０は、ＦＡＸデータの受信に失敗する（図６のＳ３１０参照）。ＦＡＸ装置１０で、２回のＣＮＧ信号を受信できたが（図５のＳ２１６：ＣＮＧ受信回数参照）、ＣＥＤ信号及びＤＩＳ信号を送信する（図５のＳ２１８参照）タイミングが、例えば、送信タイムアウト時間の間際となってしまうような場合、ＦＡＸ装置１０では、ＤＣＳ信号が受信できず（図６のＳ３００：Ｎｏ）、ＣＮＧ信号の場合と同様、ＦＡＸデータの受信に失敗する（図６のＳ３１０参照）。
【００４６】
このような状態において、受信に失敗したＦＡＸデータを送信した相手先装置５０の発信者番号に関連付けて、着信設定情報が「ＯＮ」にセットされる（図６のＳ３１２参照）。従って、５分後の再送信時には、ＣＩ信号が１回検出された時点で着信され（図５のＳ２１０）、その後の処理を好適に実行することができる（図５のＳ２１２：Ｙｅｓ、Ｓ２１６：ＣＮＧ信号受信回数、Ｓ２１８、図６のＳ３０２等参照）。
【００４７】
（２）上記では、例外着信回数による自動的な着信が実行され（図５のＳ２１０参照）、ＦＡＸデータを受信することができた場合（図６のＳ３０２参照）、今回の発信者番号として設定された発信者番号に関連付けられた着信設定情報に「ＯＦＦ」をセットし、解除タイマに「なし」をセットする（図６のＳ３０４、Ｓ３０６参照）こととした。従って、この発信者番号の相手先装置５０からのＦＡＸデータの受信に成功した後、設定回数での着信とするために、ユーザが、所定の操作を行う、といったことが不要であり、常に、例外着信回数での着信となることを防止することができる。
【００４８】
（３）上記では、ＦＡＸデータの受信が、繰り返して失敗し、着信管理テーブルにおいて、多くの発信者番号において、着信設定情報が「ＯＮ」となってしまうような場合（図６のＳ３１６：Ｙｅｓ参照）、設定回数を更新するための処理を実行する（図６のＳ３１８〜Ｓ３２２参照）こととした。従って、設定回数に起因した受信失敗の回数を低減させることが可能となる。
【００４９】
具体的な例示に基づき、この点を説明する。説明における前提は、上述した「（１）」の場合と同様である。ただし、設定回数は、１５回から１０回に更新されたこととする。ＣＩ信号は、上述した通りの周期の信号であるから、ＣＩ信号を、設定回数としての１０回検出するのには、３０秒（３秒×１０回）必要である。２回のＣＮＧ信号を受信するのには、７秒（３．５秒×２回）必要である。従って、ＦＡＸ装置１０で、２回目のＣＮＧ信号の受信を完了するのには、着呼のタイミング（図４のＳ１００：Ｙｅｓ参照）から、合計３７秒程度必要である。このような場合、ＦＡＸ装置１０では、送信タイムアウト時間内に、２回のＣＮＧ信号（図３の「ＣＮＧ  １」及び「ＣＮＧ  ２」参照）を受信することができる（図５のＳ２１６：ＣＮＧ受信回数参照）。相手先装置５０では、送信タイムアウト時間が経過する前に、ＦＡＸ装置１０からのＣＥＤ信号及びＤＩＳ信号が受信され、ＤＣＳ信号を送信するという次の手順（図３の「ＤＣＳ」参照）に移行することができる。その結果、ＦＡＸ装置１０では、ＤＣＳ信号が受信され（図６のＳ３００：Ｙｅｓ）、ＦＡＸデータを受信することができる（図６のＳ３０２参照）。即ち、設定回数が１５回から１０回に更新されれば、ＦＡＸ装置１０では、相手先装置５０からの最初のＦＡＸ送信において、ＦＡＸデータを受信することができる。
【００５０】
＜変形例＞
本実施形態は、次のようにすることもできる。このような構成によっても、上記同様の効果を得ることができる。
【００５１】
（１）上記では、相手先情報として、相手先装置５０の発信者番号を例に説明した。この他、ＰＳＴＮ９０を介して相手先装置５０の発信者名称が送信され、これを受信することができる場合、相手先情報として、発信者名称を採用してもよい。この場合、発信者番号に基づいて説明した、着信管理テーブル（図２参照）には、発信者名称が、着信設定情報及び解除タイマに関連付けられる。メイン処理（図４参照）及び受信処理（図５、図６参照）では、発信者名称に従い、上述した発信者番号の場合と同様にして、各処理が実行される。相手先装置５０の発信者番号及び発信者名称を受信することができる場合、着信管理テーブル（図２参照）発信者番号及び／又は発信者名称が着信設定情報及び解除タイマに関連付けられる。メイン処理（図４参照）及び受信処理（図５、図６参照）は、発信者番号及び／又は発信者名称に従い、上述した発信者番号の場合と同様にして、各処理が実行される。
【００５２】
（２）上記では、着信管理テーブルがフラッシュＲＯＭ１８に記憶された場合を例に説明した。着信管理テーブルは、図４〜図７の各処理、専用のテーブルとしてもよいが、従来のＦＡＸ装置と同様、ＦＡＸ装置１０でも、ＦＡＸデータの送受信履歴を管理した、所謂、通信管理テーブルが記憶されていれば、この通信管理テーブルに、管理項目として、着信設定情報及び解除タイマを追加し、これらを、通信管理テーブルに記憶されている発信者番号に関連付けるようにしてもよい。このようなＦＡＸ装置１０では、着信管理テーブルにアクセスするタイミング（例えば、図４のＳ１０４〜Ｓ１１０、図５のＳ２０６、図６のＳ３０４、Ｓ３０６、Ｓ３１２、Ｓ３１４参照）で、通信管理テーブルにアクセスし、上記同様の処理を実行する。
【符号の説明】
【００５３】
１０  ファクシミリ装置（ＦＡＸ装置）
１２  ＣＰＵ
１４  プログラムＲＯＭ
１６  ＲＡＭ
１８  フラッシュＲＯＭ
２０  読取部
２２  印刷部
２４  表示部
２６  操作部
２８  計時部
３０  通信部
５０  相手先装置
８０  交換機
９０  公衆電話交換回線網（ＰＳＴＮ）
【図１】
0005780046.tif 000002
【図２】
0005780046.tif 000003
【図３】
0005780046.tif 000004
【図４】
0005780046.tif 000005
【図５】
0005780046.tif 000006
【図６】
0005780046.tif 000007
【図７】
0005780046.tif 000008